(57)【要約】      （修正有）【課題】本発明は、和布を使った装飾体つきニット帽子を提供する。【解決手段】クラウン部１とつば部４とからなるニット帽子において和布を用いて形成した第１の装飾体とその上に設けたブーケ状の第２の装飾体とからなることを特徴とする装飾体付きニット帽子は、クラウン部１の側面に新しい和布を用いて、つば部との境目より０ｃｍ〜頭頂部に向かってその帽子にとって１番バランスの良い高さまで折りながら、又は波うたせながら、又はそのままクラウン部に飾り付け、つばの部分は表裏に和布を襞をつけながら被い、そのつばの上に和布を左、又は右巻きにふんわりと飾り付ける。その次にブーケと葉状の物を２枚以上バランス良く、クラウン部の側面に飾り付ける。その次にクラウン部裏面の側面の下部の編み目にそって帽子又は和布と同じ様な色のゴムを編み目にそって通し、風に飛ばされない様に止めて仕上げる。【選択図】図１
2011168943.tif 000002
【特許請求の範囲】
【請求項１】
クラウン部とつば部とからなるニット帽子において、和布を用いて形成した第１の装飾体とその上に設けたブーケ状の第２の装飾体とを設けたことを特徴とする装飾体付きニット帽子。
【請求項２】
ブーケ状の第２の装飾体が、綿状物の充満された袋状物上に複数枚の花弁で構成され、花弁の中心に天然石、クリスタル又は樹脂飾りを配した花を２個以上設けたブーケと、２枚以上の葉状物とを配した物である事を特徴とする請求項１記載の装飾体付きニット帽子。
【請求項３】
クラウン部とつば部とからなるニット帽子に装飾体を設けた、装飾体付きニット帽子を製造する方法であて、クラウン部とつば部の少なくとも一部に和布を飾りつけて第１の装飾体を形成した後、さらにその上にブーケ状の第２の装飾体を飾り付けた事を特徴とする装飾体付きニット帽子の製造方法。
【請求項４】
第１の装飾体をクラウン部の側面に和布を用いて、つば部との境目より０ｃｍ〜頭頂部に向かって、その帽子のバランスの良い高さまで折りながら又は波うたせながら、又はそのままクラウン部側面に飾りつけ、つばの部分は表裏に和布を襞をつけながら被い、そのつばの上に和布を左又は右巻きにふんわりと飾り付けることを特徴とする請求項３記載の帽子の製造方法。
【請求項５】
さらにクラウン部裏面の側面下部に編み目にそって、帽子の色又は和布の色に合わせたゴムを通して仕上げる事を特徴とする請求項３又は４記載の帽子の製造方法。
【請求項６】
第１の装飾体をつば部の上の部分の和布をクシュクシュと手でつまみ、そこに天然石、クリスタル、樹脂の飾り又は造花で１箇所以上止めて仕上げることを特徴とする請求項３〜５のいずれか１項に記載の帽子の製造方法。
【発明の詳細な説明】
【技術分野】
【０００１】  本発明は毛糸及びその他糸と呼ばれる物で頭部を編み、その下部につばを色々な形に付け、つばの所から上にその帽子にとってバランスの良い所まで和布を飾り付け、つば部の表裏も和布で被い、そのつばの上に和布をふんわりと飾る。帽子の側面にブーケ等を飾り付け、最後に裏面の編み目の下部の側面にそって、帽子の色に合ったゴムを通す。いわゆる装飾体付きニット帽子と称される帽子及びその製造方法に関する。
【背景技術】
【０００２】  従来からのいわゆるニット帽子は、頭部又は全体をニットで編み、つばの部分の中に芯を入れ、それをニット又は他の糸で編んでくるみ、又はホースヘヤーと呼ばれるものを付け、花等で飾りを付けて仕上げてあるものである。
【先行技術文献】
【特許文献】
【０００３】
【特許文献１】特になし
【発明の概要】
【発明が解決しようとする課題】
【０００４】  従来の帽子及びニット帽子は、布やフェルトで作ったもの、ニットだけで編んだもの及びニットにホースヘヤーをつけて、花等で飾ったものだけであった。そこで本発明は新しい和布を使った作品が（たとえば着物等）昨今なかなか売れない世の中になってきているので、少しでも貢献できればと思い作った帽子である。尚帽子の形状の大小は問わない。この新しい和布を使った帽子が普及すれば、大いに和布の売上げに貢献する事が期待されるものである。尚且つ美しく美的センスのある帽子を世の中に提供する事もできる。
【課題を解決する為の手段】
【０００５】  クラウン部とつば部とからなるニット帽子において和布を用いて形成した第１の装飾体とその上に設けたブーケ状の第２の装飾体とを設けたことを特徴とする装飾体付きニット帽子である。ブーケ状の第２の装飾体が綿状物の充満された袋状物上に複数枚の花弁で講成され、花弁の中心に天然石、クリスタル又は樹脂飾りを配した花を２個以上設けたブーケと２枚以上の葉状物とを配した物である事を特徴とする装飾体付きニット帽子。製造方法は、クラウン部とつば部の少なくとも一部に和布を飾り付けて、第１の装飾体を形成した後、さらにその上にブーケ状の第２の装飾体を飾り付けた事を特徴とする装飾体付きニット帽子、第１の装飾体をクラウン部の側面に和布を用いてつば部との境目より０ｃｍ〜頭頂部に向かって、その帽子のバランスの良い高さまで折りながら又は波うたせながら、又はそのままクラウン部側面に飾り付け、つばの部分は表裏に和布を襞をつけながら被い、そのつばの上に和布を左又は右巻きにふんわりと飾り付ける、その後クラウン部裏面の側面下部に編み目にそって帽子の色又は和布の色に合わせたゴムを通して仕上げる、その他の製造方法として第１の装飾体をつば部の上の部分の和布を手でクシュクシュとつまみ、そこに天然石、クリスタル、樹脂、又は造花で１箇所以上止めて仕上げる方法もある。こうして仕上げられた帽子は新しい和布をたっぷりと使ってあるので和布の売上げに大いに貢献できると期待されるものである
【発明の効果】
【０００６】  本発明のクラウン部とつば部とからなるニット帽子において、和布を用いて形成した第１の装飾体と、その上に設けたブーケ状の第２の装飾体とを設けた事を特徴とする装飾体付きニット帽子は、クラウン部の側面に和布を用いてつば部との境目より０ｃｍ〜頭頂部に向かってその帽子のバランスの良い高さまで、折りながら、又は波うたせながら、又はそのままクラウン部に飾り付けた帽子であり、つばの部分は、表裏に和布を襞を付けながら被った帽子ある。さらにそのつばの上に和布を左又は右巻きにふんわりと飾り付けた帽子である。最後に裏面のクラウン部の側面下部に帽子又は和布と同じ様な色のゴムを通して仕上げる。これは風通しを良くする為と、風等に飛ばない様にする為と、蒸れない様にする役目もある。この様に本発明の装飾体付きニット帽子は、新しい和布をふんだんに用いて製造する為、新しい和布の普及に大いに貢献するものと思われる。尚且つ帽子自体も芸術的に大いに価値を付ける事ができる。その上この帽子を被る事により、女性をより美しくすることができる。
【図面の簡単な説明】
【０００７】
【図１】本発明を実施する為の最良の１形態を示す斜視図である。
【図２】ブーケの作り方手順を示す概略図である。
【図３】風等に飛ばない様に裏側のクラウン部の側面下部にゴムを通した斜視図である。
【発明を実施するための形態】
【０００８】  以下図面を参照して本発明を実施する為の最良の１形態を説明すると、図１の様にクラウン部とつば部とからなるニット帽子において、頭頂部をニット等で編み、符号２の様に側面に和布を折りながら又は波うたせながら、又はそのまま飾りつける。つばの位置より０ｃｍ〜頭頂部にかけ、その帽子において、バランスの良い部分まで。さらにつばの部分は和布で襞をつけながら表裏全体を被う。そのつばの上に和布を左又は右巻きにふんわりと飾る。ここで言うニットとは絹、毛、麻等素材を問わない。尚この帽子の形状の大小は問わない。
【０００９】  図１の様にブーケを帽子の側面に飾り付ける。ブーケの作り方は図２の様にまず手芸用の綿その他類する物で、大きさはその帽子により異なり丸、三角四角等色々な形に、布又はビニールの袋など（何でも可）で包み、その上に飾りの為に使った和布の色に合わせた布その他の物で包んで仕上げた包みの上に、シルク、綿、ビニールの花びらを何枚か重ね、中心に天然石、クリスタル、スワロフスキー、ビーズ又は樹脂飾りを花びらの色に合わせた糸、毛糸、麻糸、合成繊維等で止める。ここで言う袋、シルク、天然石、クリスタル、スワロフスキー、樹糸飾り、花びらに合った糸とは、帽子の全体的な雰囲気に合えば、センスの問題で素材は問わない。最後に葉の形をしたものでブーケの外側及びブーケの中に形よく止めて飾る。ブーケの大小は問わない。
【００１０】  最後に図３の様に裏面のクラウン部側面下部の編み目にそって頭頂部又は和布で飾った部分と同じ様な色のゴムを通し、風等に飛ばない様に仕上げる。又、この帽子はゴムを通すことにより伸縮性が出るので、それぞれの人の頭の大きさに合わせる事ができる非常に便利な帽子である。尚この帽子の形状の大小は問わない。さらにクラウン部の編んだ部分の下部側面全体に、和布で上下２〜３ｃｍの幅で表裏を縫い付けて飾り、ホースヘアーで（幅１０ｃｍのもの）表裏を縫いつけ、全体的に丸く幅５ｃｍのつばに仕上げ、その中にシルク、綿、造花等の葉、又は花びらを多数入れ飾り、その上でクラウン部の表側面にシルク、綿、合成繊維等の花びらを２〜３枚重ね、芯の部分は縦、横５ミリのそろばん形の天然石クリスタルフワロフスキー、アクリル樹脂等で止めたものを、つばの部分から頭頂部にかけて、三角形、ハート形、四角形、星形その他色々な模様に仕上げて飾る。又全体的に飾り付けて仕上げた帽子もある。
【００１１】実施例１
赤色のニット（ＺＡＲＡ１４９３  ０４６０）でクラウン部を編み、クラウン部の側面とつば部の境より６ｃｍの高さまで帯上げに使う赤い和布で約４ｃｍ間隔で縫い止め、つばの部分は表裏とも襞をつけながら被い、その上に左巻きに帯上げの赤い和布をふんわりと飾り付けた。この帽子の側面にピンク色のシルクの花びらを２枚合わせ、花の芯を赤色の縦横５ミリのそろばんの玉の形をしたクリスタルで止め、ブーケに仕上げ、ブーケのまわりに葉の形をした緑色の布で飾り、又ブーケの中にも同様の葉の形をした緑色の布を形よく飾り、この帽子の側面に飾り付けて仕上げた。この帽子を５人の人達に見せた所５人供とても素敵、品が良い、かわいい、きれい、これは売れるよと言う評価を受けた。
【００１２】実施例２
黒色のふわふわしたニットでクラウン部を編み、クラウン部の側面下部とつば部のところより高さ５ｃｍの所までブルーグレーの絹の和布で襞をつけながら折り付けて飾り、つばも襞をつけながらブルーグレーの絹の和布で襞を付けながら表裏を被いその上に同じ絹の和布で左巻きにふんわりと飾った。その次に白いシルクの花びらを２枚重ね、芯の部分はブルーの縦横５ミリのそろばんの玉の形をしたスワロフスキーで止めて作ったブーケのまわりに形よくシルクの緑の葉を飾り、ブーケの中にもシルクの緑の葉を飾り、これをブルーグレーの絹で飾った側面に飾りつけて仕上げた。これも実施例１の５人の人に見せた所、同様に５人供、これもとてもシックで素敵、配色がとても良い、形も良い、これも売れるよという評価を得た。
【００１３】実施例３
クラウン部はグレー、赤、緑のグラデーションのニットで仕上げた、側面、つば部、その上の飾りは黄、赤、緑の花模様の絹の和布を使って実施例１、２、同様に仕上げた、ブーケはオレンジのシルクの花びらを２枚合わせて芯の部分はオレンジのそろばんの玉の形をした縦横５ミリのクリスタルで止めて仕上げ、緑の葉でブーケの回りとブーケの中にもシルクの緑の葉を形よく配して仕上げた物をクラウン部の側面に配した黄、赤、緑の花模様の絹の和布で飾った部分に飾り付けた。この帽子のつばの上の飾り方は、同じ絹の和布を手でクシュクシュとつまつまみ、クリスタルの縦横５ミリのそろばんの玉の形をしたもので１８ヶ所配置よく止めて飾りつけた。この帽子も実施例１、２と同じ５人の人に見せた所、これは配色的に渋い上に、オレンジのブーケがきいている。これも他と同様すばらしい、つばの上のクリスタルで止めた所もきれい、これも売れるよ、と５人供同様の評価を得た。
【００１４】実施例４
クラウン部は赤いニット（ＺＡＲＡ１４９３  ０４６０）で編みクラウン部の下部に赤い花模様の絹の和布で２ｃｍの高さの所まで、表裏を縫い止めた。つばの部分はホースヘアーを使い（１０ｃｍ幅のもの）クラウン部の下部に表裏のヘリにそって丸く付けて、５ｃｍの幅のつばに仕上げ、そのつばの中にシルクのピンク色の葉の形をしたものを入れて、外から透けて見える様につばを仕上げた。クラウン部の側面の飾りは、ピンク色のシルクの花びらを２枚合わせ、芯を赤の縦横５ミリのスワロフスキーで止め、（そろばんの玉の形をしたもの）三角形のピラミットの形に飾りつけて帽子を仕上げた。実施例１、２、３を見てもらった同じ５人の人に見せた所この帽子は他の帽子と作り方が全々違うけれど、これは又これで、つばの中のピンクの葉が動いておもしろい、すてき、側面の花の飾り方もおもしろいし、きれい、これもとても良いし絶対売れるよ、と５人供同様の評価を得た。
【符号の説明】
【００１５】１  クラウン部
２  和布等を側面に飾り付けた部分
３  右、又は左巻きに和布等をふんわりと飾りつけた部分。
４  つばに和布等を裏表被った部分
５  シルク等で２〜５枚程の花びらを重ね、天然石等を糸等で止めた花の部分
６  葉の部分（材料は問わない）
７  天然石等を糸等で止めた花芯の部分
８  手芸用の綿等を丸めた部分
９  符号８を和布等で巻いて丸く仕上げた部分大きさは帽子によって異なる。
１０  帽子の編んだ色と良く似たゴムを風等で飛ばない様に裏側、側面の下部に通し、止めた部分。
【図１】
2011168943.tif 000003
【図２】
2011168943.tif 000004
【図３】
2011168943.tif 000005
【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
クラウン部とつば部とからなるニット帽子において絹の帯上げを用いて形成した第１の装飾体とその側面に設けたブーケ状の第２の装飾体とを設け、第１の装飾体をクラウン部の側面に絹の帯上げを用いてつば部との境目より頭頂部に向かって襞を付けながら又は波うたせながらクラウン部側面に飾りつけ、つばの部分は表裏に絹の帯上げを襞をつけながら被い、そのつばの上に絹の帯上げを左又は右方向にふんわりと飾りつけ、ブーケ状の第２の装飾体は綿状物の充満された袋状物上に複数枚のシルクの花弁で構成され、花弁の中心に天然石、クリスタル又は樹脂飾りを配した花を２個以上設けたブーケと、２枚以上の葉状物を配したものを、クラウン部の側面に飾りつけたことを特微とする装飾体付きニット帽子。
【請求項２】
クラウン部とつば部とからなるニット帽子に装飾体を設けた装飾体付きニット帽子を製造する方法であって、クラウン部の側面に絹の帯上げを用いてつば部との境目より頭頂部に向かって襞をつけながら又は波うたせながらクラウン部側面に飾りつけ、つばの部分は表裏に絹の帯上げを襞をつけながら被いそのつばの上に絹の帯上げを左又は右方向にふんわりと飾りつけて第１の装飾体を形成した後、さらにその側面に綿状物の充満された袋状物上に複数枚のシルクの花弁で構成され、花弁の中心に天然石、クリスタル又は樹脂飾りを配した花を２個以上設けたブーケと、２枚以上の葉状物を配して作ったブーケである第２の装飾体を飾りつけた事を特微とする装飾体付きニット帽子の製造方法。